(57)【要約】      （修正有）【課題】部品点数を減らすと共に従来のブッシュの圧入作業を不要とし、更に従来のかしめに伴う種々の不具合を解消するチェーンを提供する。【解決手段】一対のブッシュ２、２′の長さ方向の中央部２Ａから一対の内プレート３、３′における一方の内プレート３にかけての部分と、一対のブッシュ２、２′の長さ方向の中央部２Ａから一対の内プレート３、３′におけるもう一方の内プレート３′にかけての部分とを、夫々同時成形により一体的に形成する。前記各部分を一対のブッシュ２、２′において接合して全体的に一体化させる。もって、一対のブッシュ２、２′と一対の内プレート３、３′とを別部材とすることなく一連一体に構成する。【選択図】図２
0003152356.tif 000002
【実用新案登録請求の範囲】
【請求項１】
夫々ローラが回転自在に外嵌された一対のブッシュの両端部を一対の内プレートの両端部に結合してなる内リンクと、一対のピンの両端部を一対の外プレートの両端部に穿設したピン圧入穴に圧入してなる外リンクとを、前記ブッシュ内を貫通する前記ピンにより連結してなるチェーンにおいて、前記内リンクにおける一対のブッシュと一対の内プレートとを別部材とすることなく一連一体に構成したことを特徴とするチェーン。
【請求項２】
一対のブッシュの長さ方向の中央部から一対の内プレートにおける一方の内プレートにかけての部分と、一対のブッシュの長さ方向の中央部から一対の内プレートにおけるもう一方の内プレートにかけての部分とを、夫々同時成形により一体的に形成し、前記各部分を一対のブッシュにおいて接合して全体的に一体化させてなる請求項１記載のチェーン。
【考案の詳細な説明】
【技術分野】
【０００１】
本考案はチェーンに関するものである。
【背景技術】
【０００２】
動力伝達用チェーン等のチェーンとしては、従来図３乃至図６に示す如き構成のものが一般的に用いられている。
【０００３】
該図において、１００はチェーンであり、夫々ローラ１０１、１０１が回転自在に外嵌された一対のブッシュ１０２、１０２の両端部を一対の内プレート１０３、１０３の両端部に穿設したブッシュ圧入穴１０４、１０４に圧入してなる内リンク１０５と、一対のピン１０６、１０６の両端部を一対の外プレート１０７、１０７の両端部に穿設したピン圧入穴１０８、１０８に圧入してなる外リンク１０９、１０９とを、前記ブッシュ１０２、１０２内を貫通する前記ピン１０６、１０６により連結してなるものである。
【考案の概要】
【考案が解決しようとする課題】
【０００４】
上記従来のチェーン１００においては、その内リンク１０５において、一対の内プレート１０３、１０３と一対のブッシュ１０２、１０２とが別体である。したがって、これら二種類の部品を夫々別々に製作しなければならず、二重の手間かかかることから製造コストが高くつくことになる。加えて、これら一対の内プレート１０３、１０３と一対のブッシュ１０２、１０２は、一対のブッシュ１０２、１０２の両端部を一対の内プレート１０３、１０３の両端部に穿設したブッシュ圧入穴１０４、１０４に圧入して一体化する工程が必要であり、これにも多大な手間と時間を要するものである。
【０００５】
そしてまた、この圧入時においてはブッシュ１０２、１０２の突出端部をかしめるが、これを行うときに部品が変形して精度が低下したり、生じたバリを除去する手間が必要になる等の種々の問題点がある。
【０００６】
本考案は上記の点に鑑みなされたものであって、内リンクにおけるブッシュと内プレートとを別部材とすることなく一連一体に構成し、部品点数を減らすと共に従来のブッシュの圧入作業を不要とし、更に従来のかしめに伴う種々の不具合を解消することができるようになしたチェーンを提供しようとするものである。
【課題を解決するための手段】
【０００７】
而して、本考案の要旨とするところは、夫々ローラが回転自在に外嵌された一対のブッシュの両端部を一対の内プレートの両端部に結合してなる内リンクと、一対のピンの両端部を一対の外プレートの両端部に穿設したピン圧入穴に圧入してなる外リンクとを、前記ブッシュ内を貫通する前記ピンにより連結してなるチェーンにおいて、前記内リンクにおける一対のブッシュと一対の内プレートとを別部材とすることなく一連一体に構成したことを特徴とするチェーンにある。
【０００８】
また、上記構成において、一対のブッシュと一対の内プレートとを別部材とすることなく一連一体に構成する手段の一例として、一対のブッシュの長さ方向の中央部から一対の内プレートにおける一方の内プレートにかけての部分と、一対のブッシュの長さ方向の中央部から一対の内プレートにおけるもう一方の内プレートにかけての部分とを、夫々同時成形により一体的に形成し、前記各部分を一対のブッシュにおいて接合して全体的に一体化させて行うようにする手段を挙げることができる。尚、該手段において同時成形は冷間鍛造又は鋳造手段によって行う。
【考案の効果】
【０００９】
本考案は上記の如き構成であり、内リンクにおけるブッシュと内プレートとを別部材とすることなく一連一体に構成したものであるから、従来別体で別々に製作する必要があったブッシュと内プレートの二種類の部品を、ブッシュと内プレートとが別部材とすることなく一連一体となった一種類の部品で足りるようにすることができ、もって大幅なコストダウンを図ることができると共に、従来のブッシュの圧入作業も不要にすることができるものである。加えて、従来のかしめに伴う種々の不具合も解消することができるものである。
【図面の簡単な説明】
【００１０】
【図１】本考案に係るチェーンにおいて用いる内リンクの正面図である。
【図２】図１中Ａ−Ａ線断面図である。
【図３】従来のチェーンにおいて用いる内リンクの正面図である。
【図４】図３中Ｂ−Ｂ線断面図である。
【図５】従来のチェーンの一部切除して示した平面図である。
【図６】従来のチェーンの正面図である。
【考案を実施するための形態】
【００１１】
以下、本考案を実施するための形態について、図面を参照して説明する。
【００１２】
図中、１は本考案のチェーンにおいて用いる内リンクである。また、本考案のチェーンの全体的な構成は、内リンクを除いて前記従来のチェーンと同様であるから、説明は省略する。
【００１３】
また、前記内リンク１は、一対のブッシュ２、２′と一対の内プレート３、３′とを別部材とすることなく一連一体に構成してなるものである。
【００１４】
また、本実施形態においては、一対のブッシュ２、２′と一対の内プレート３、３′とを別部材とすることなく一連一体に構成する手段として、一対のブッシュ２、２′の長さ方向の中央部２Ａから一対の内プレート３、３′における一方の内プレート３にかけての部分と、一対のブッシュ２、２′の長さ方向の中央部２Ａから一対の内プレート３、３′におけるもう一方の内プレート３′にかけての部分とを、夫々同時成形により一体的に形成し、前記各部分を一対のブッシュ２、２′において接合して全体的に一体化させて行うようになしている。尚、ローラ（図示せず。）の各ブッシュ２、２′への外嵌は、ブッシュ２、２′を接合するとき、これに先立って行う。
【符号の説明】
【００１５】
１  内リンク
２、２′一対のブッシュ
２Ａ  一対のブッシュの長さ方向の中央部
３、３′  一対の内プレート
【図１】
0003152356.tif 000003
【図２】
0003152356.tif 000004
【図３】
0003152356.tif 000005
【図４】
0003152356.tif 000006
【図５】
0003152356.tif 000007
【図６】
0003152356.tif 000008